(57)【要約】  本発明は、待機モードサービスシステムに関し、さらに詳細には、個人用コンピュータをＰ２Ｐ（Ｐｅｅｒ  ｔｏ  Ｐｅｅｒ）／Ｗ２Ｐ（ＷＥＢ  ｔｏ  Ｐｈｏｎｅ）として活用して移動通信端末機の待機モード画面にコンテンツを提供するサービスシステムに関する。本発明に係るサーバとして機能する個人用コンピュータを利用して、移動通信端末機の待機モード画面にコンテンツ情報を提供するシステムは、通信網を介してコンテンツを個人用コンピュータに提供するオンラインポータルサーバと、前記オンラインポータルサーバからコンテンツを抽出し、抽出したコンテンツを前記移動通信端末機の待機モード画面として表示されるように変換するコンテンツ抽出／変換プログラムの内蔵された個人用コンピュータと、前記個人用コンピュータから前記コンテンツを受信して、待機モード画面として表示する移動通信端末機と、を含むことを特徴とする。
2008530703.tif 000002
【特許請求の範囲】
【請求項１】
通信網を介してコンテンツを個人用コンピュータに提供するオンラインポータルサーバと、
前記オンラインポータルサーバからコンテンツを抽出し、抽出したコンテンツを前記移動通信端末機の待機モード画面として表示されるように変換するコンテンツ抽出／変換プログラムの内蔵された個人用コンピュータと、
前記個人用コンピュータから前記コンテンツを受信して、待機モード画面として表示する移動通信端末機と、
を含む、サーバとして機能する個人用コンピュータを利用して、移動通信端末機の待機モード画面にコンテンツ情報を提供するシステム。
【請求項２】
前記個人用コンピュータと移動通信端末機との間に通信されるコンテンツデータを送信できるように、移動通信社のゲートウェイがさらに含まれる、請求項１に記載のサーバとして機能する個人用コンピュータを利用して、移動通信端末機の待機モード画面にコンテンツ情報を提供するシステム。
【請求項３】
前記移動通信端末機は、プッシュプル方式でコンテンツ情報を受信する、請求項１に記載のサーバとして機能する個人用コンピュータを利用して、移動通信端末機の待機モード画面にコンテンツ情報を提供するシステム。
【請求項４】
前記コンテンツ抽出／変換プログラムは、サービスサーバのコンテンツを抽出して、管理及び運営が容易なデータ形態であるＸＭＬ（ｅＸｔｅｎｓｉｂｌｅ  Ｍａｒｋｕｐ  Ｌａｎｇｕａｇｅ）データに変換する、請求項１に記載のサーバとして機能する個人用コンピュータを利用して、移動通信端末機の待機モード画面にコンテンツ情報を提供するシステム。
【請求項５】
通信網を介してコンテンツを個人用コンピュータに提供するオンラインポータルサーバと、前記オンラインポータルサーバからコンテンツを抽出し、抽出したコンテンツを前記移動通信端末機の待機モード画面として表示されるように変換するコンテンツ抽出／変換プログラムの内蔵された個人用コンピュータと、前記個人用コンピュータから前記コンテンツを受信して、待機モード画面として表示する移動通信端末機と、を含む、サーバとして機能する個人用コンピュータを利用して移動通信端末機の待機モード画面にコンテンツ情報を提供するシステムを利用して、個人用コンピュータからコンテンツを抽出／変換する方法において、
（ａ）前記コンテンツを移動通信端末機に適したデータ規格及び仕様に初期化するステップと、
（ｂ）前記コンテンツ抽出／変換プログラムを介して、抽出しようとするＵＲＬ（Ｕｎｉｆｏｒｍ  Ｒｅｓｏｕｒｃｅ  Ｌｏｃａｔｏｒ）を入力するステップと、
（ｃ）前記ＵＲＬに該当するＨＴＴＰ（Ｈｙｐｅｒｔｅｘｔ  Ｔｒａｎｓｆｅｒ  Ｐｒｏｔｏｃｏｌ）に送信されたデータを仮格納空間にバッファリングするステップと、
（ｄ）前記コンテンツ領域を抽出しやすくなるように、バッファリングしたデータを加工するステップと、
（ｅ）前記加工したコンテンツを移動通信端末機の画面として提供するステップと、
（ｆ）前記加工したコンテンツが提供された画面から抽出しようとする領域を選択するステップと、
（ｇ）前記コンテンツ抽出／変換プログラムで移動通信端末機に適したデータ規格及び仕様に変換するステップと、
を含む、サーバとして機能する個人用コンピュータを利用して、移動通信端末機の待機モード画面にコンテンツ情報を提供するためのコンテンツを抽出／変換する方法。
【請求項６】
（ｈ）前記コンテンツ抽出／変換プログラムでコンテンツデータを管理及び運営が容易なデータ形態に加工し、各チャネルを生成するステップと、
（ｉ）前記チャネルで構成したコンテンツデータは、データベース領域を生成し、生成したデータベース領域にコンテンツを格納するステップと、
（ｊ）前記コンテンツ抽出／変換プログラムで移動通信端末機のエミュレータでオンラインコンテンツが移動通信端末機でサービスされるエミュレーション画面を確認するステップと、
さらに含む、請求項５に記載のサーバとして機能する個人用コンピュータを利用して、移動通信端末機の待機モード画面にコンテンツ情報を提供するためのコンテンツを抽出／変換する方法。
【請求項７】
前記（ｈ）ステップの管理及び運営が容易なデータ形態はＸＭＬである、請求項６に記載のサーバとして機能する個人用コンピュータを利用して、移動通信端末機の待機モード画面にコンテンツ情報を提供するためのコンテンツを抽出／変換する方法。
【請求項８】
通信網を介してコンテンツを個人用コンピュータに提供するオンラインポータルサーバと、前記オンラインポータルサーバからコンテンツを抽出し、抽出したコンテンツを前記移動通信端末機の待機モード画面として表示されるように変換するコンテンツ抽出／変換プログラムの内蔵された個人用コンピュータと、前記個人用コンピュータから前記コンテンツを受信し、待機モード画面として表示する移動通信端末機と、を含む、サーバとして機能する個人用コンピュータを利用して移動通信端末機の待機モード画面にコンテンツ情報を提供するシステムを利用して、個人用コンピュータからコンテンツを移動通信端末機に送信する方法において、
（ａ）移動通信端末機の待機モード画面に表示するコンテンツを選択するステップと、
（ｂ）前記表示するコンテンツに該当する選択チャネルに対するプロファイルを設定するステップと、
（ｃ）前記プロファイルを基に、コンテンツを移動通信端末機のフォーマットに合せてコンテンツを送出するステップと、
を含む、サーバとして機能する個人用コンピュータを利用して、移動通信端末機の待機モード画面にコンテンツ情報を提供するためのコンテンツを移動通信端末機に送信する方法。
【請求項９】
前記（ｃ）ステップのプロファイルは、待機モード放送する周期、起動時間、個人用コンピュータで直接コンテンツを受信するか否か、コンテンツの有効期間又はリアルタイム情報の発生有無のうちの何れか一つ以上の内容を含む、請求項７に記載のサーバとして機能する個人用コンピュータを利用して、移動通信端末機の待機モード画面にコンテンツ情報を提供するためのコンテンツを移動通信端末機に送信する方法。
【請求項１０】
通信網を介してコンテンツを個人用コンピュータに提供するオンラインポータルサーバと、前記オンラインポータルサーバからコンテンツを抽出し、抽出したコンテンツを前記移動通信端末機の待機モード画面として表示されるように変換するコンテンツ抽出／変換プログラムの内蔵された個人用コンピュータと、前記個人用コンピュータから前記コンテンツを受信し、待機モード画面として表示する移動通信端末機と、を含むサーバとして機能する個人用コンピュータを利用して移動通信端末機の待機モード画面にコンテンツ情報を提供するシステムを利用して、個人用コンピュータからコンテンツを抽出／変換する方法をコンピュータで実行させるためのプログラムを記録したコンピュータで読み出すことができる記録媒体において、
（ａ）前記コンテンツを移動通信端末機に適したデータ規格及び仕様に初期化するステップと、
（ｂ）前記コンテンツ抽出／変換プログラムを介して抽出しようとするＵＲＬを入力するステップと、
（ｃ）前記ＵＲＬに該当するＨＴＴＰに送信されたデータを仮格納空間にバッファリングするステップと、
（ｄ）前記コンテンツ領域を抽出しやすくなるようにバッファリングしたデータを加工するステップと、
（ｅ）前記加工したコンテンツを移動通信端末機の画面として提供するステップと、
（ｆ）前記加工したコンテンツが提供された画面から抽出しようとする領域を選択するステップと、
（ｇ）前記コンテンツ抽出／変換プログラムで移動通信端末機に適したデータ規格及び仕様に変換するステップと、
を含む、サーバとして機能する個人用コンピュータを利用して移動通信端末機の待機モード画面にコンテンツ情報を提供するシステムを利用して、個人用コンピュータからコンテンツを抽出／変換する方法をコンピュータで実行させるためのプログラムを記録したコンピュータで読み出すことができる記録媒体。
【請求項１１】
通信網を介してコンテンツを個人用コンピュータに提供するオンラインポータルサーバと、前記オンラインポータルサーバからコンテンツを抽出し、抽出したコンテンツを前記移動通信端末機の待機モード画面として表示されるように変換するコンテンツ抽出／変換プログラムの内蔵された個人用コンピュータと、前記個人用コンピュータから前記コンテンツを受信し、待機モード画面として表示する移動通信端末機と、を含むサーバとして機能する個人用コンピュータを利用して移動通信端末機の待機モード画面にコンテンツ情報を提供するシステムを利用して、個人用コンピュータからコンテンツを移動通信端末機に送信する方法をコンピュータで実行させるためのプログラムを記録したコンピュータで読み出すことができる記録媒体において、
（ａ）移動通信端末機の待機モード画面に表示するコンテンツを選択するステップと、
（ｂ）前記表示するコンテンツに該当する選択チャネルに対するプロファイルを設定するステップと、
（ｃ）前記プロファイルを基に、コンテンツを移動通信端末機のフォーマットに合せてコンテンツを送出するステップと、
を含む、サーバとして機能する個人用コンピュータを利用して、移動通信端末機の待機モード画面にコンテンツ情報を提供するためのコンテンツを移動通信端末機に送信する方法をコンピュータで実行させるためのプログラムを記録したコンピュータで読み出すことができる記録媒体。
【発明の詳細な説明】
【技術分野】
【０００１】
本発明は、待機モードサービスシステムに関し、さらに詳細には、個人用コンピュータをＰ２Ｐ（Ｐｅｅｒ  ｔｏ  Ｐｅｅｒ）／Ｗ２Ｐ（ＷＥＢ  ｔｏ  Ｐｈｏｎｅ）として活用して移動通信端末機の待機モード画面にコンテンツを提供するサービスシステムに関する。
【背景技術】
【０００２】
本出願人は、韓国特許登録第１０−０３９１２９１号「掲示板機能を有する移動通信端末装置及びその駆動方法並びにこれを利用した掲示板サービス方法及びシステム」及び「移動通信端末装置のための待機画面リソース制御並びに運用装置及び方法」で国際出願（ＰＣＴ／ＫＲ２００４／０００８９７）をしたことがある。
【０００３】
韓国特許登録第１０−０３９１２９１号では、有用な情報をユーザ移動通信端末装置に格納し、格納した情報を周期的にディスプレイでき、自分に提供された有用な情報の利用を確認し続けることができるから、情報利用の効率を極大化できるという長所はあるが、オンラインコンテンツを抽出し変化して、ユーザの望む情報を選択的に利用することに対する言及がなく、国際出願（ＰＣＴ／ＫＲ２００４／０００８９７）でも移動通信端末機の待機モード画面に対するリソースと待機画面構成に対する言及はあるが、オンラインコンテンツを抽出し変化させてユーザの望む情報を選択的に利用することに対する言及はない。
【発明の開示】
【発明が解決しようとする課題】
【０００４】
本発明は、待機モードサービスシステムに関し、さらに詳細には、個人用コンピュータをＰ２Ｐ（Ｐｅｅｒ  ｔｏ  Ｐｅｅｒ）／Ｗ２Ｐ（ＷＥＢ  ｔｏ  Ｐｈｏｎｅ）として活用して移動通信端末機の待機モード画面にコンテンツを提供するサービスシステムに関する。
【０００５】
本出願人は、韓国特許登録第１０−０３９１２９１号「掲示板機能を有する移動通信端末装置及びその駆動方法並びにこれを利用した掲示板サービス方法及びシステム」及び「移動通信端末装置のための待機画面リソース制御並びに運用装置及び方法」で国際出願（ＰＣＴ／ＫＲ２００４／０００８９７）をしたことがある。
【０００６】
韓国特許登録第１０−０３９１２９１号では、有用な情報をユーザ移動通信端末装置に格納し、格納した情報を周期的にディスプレイでき、自分に提供された有用な情報の利用を確認し続けることができるから、情報利用の効率を極大化できるという長所はあるが、オンラインコンテンツを抽出し変化して、ユーザの望む情報を選択的に有用することに対する言及がなく、国際出願（ＰＣＴ／ＫＲ２００４／０００８９７）でも移動通信端末機の待機モード画面に対するリソースと待機画面構成に対する言及はあるが、オンラインコンテンツを抽出し変化させてユーザの望む情報を選択的に有用することに対する言及はない。
【課題を解決するための手段】
【０００７】
上述の課題を解決するための本発明に係るサーバとして機能する個人用コンピュータを利用して、移動通信端末機の待機モード画面にコンテンツ情報を提供するシステムは、通信網を介してコンテンツを個人用コンピュータに提供するオンラインポータルサーバと、前記オンラインポータルサーバからコンテンツを抽出し、抽出したコンテンツを前記移動通信端末機の待機モード画面として表示されるように変換するコンテンツ抽出／変換プログラムの内蔵された個人用コンピュータと、前記個人用コンピュータから前記コンテンツを受信して、待機モード画面として表示する移動通信端末機と、を含むことを特徴とする。
【０００８】
ここで、前記個人用コンピュータと移動通信端末機との間に通信されるコンテンツデータを送信できるように、移動通信社のゲートウェイ（Ｇａｔｅｗａｙ）がさらに含まれることが好ましい。
【０００９】
ここで、前記移動通信端末機は、プッシュプル方式でコンテンツ情報を受信することが好ましい。
【００１０】
ここで、前記コンテンツ抽出／変換プログラムは、サービスサーバのコンテンツを抽出して、管理及び運営が容易なデータ形態であるＸＭＬ（ｅＸｔｅｎｓｉｂｌｅ  Ｍａｒｋｕｐ  Ｌａｎｇｕａｇｅ）データに変換することが好ましい。
【００１１】
また、本発明に係るサーバとして機能する個人用コンピュータを利用して移動通信端末機の待機モード画面にコンテンツ情報を提供するためのコンテンツを抽出／変換する方法は、通信網を介してコンテンツを個人用コンピュータに提供するオンラインポータルサーバと、前記オンラインポータルサーバからコンテンツを抽出し、抽出したコンテンツを前記移動通信端末機の待機モード画面として表示されるように変換するコンテンツ抽出／変換プログラムの内蔵された個人用コンピュータと、前記個人用コンピュータから前記コンテンツを受信して、待機モード画面として表示する移動通信端末機と、を含む、サーバとして機能する個人用コンピュータを利用して移動通信端末機の待機モード画面にコンテンツ情報を提供するシステムを利用して、個人用コンピュータからコンテンツを抽出／変換する方法において、（ａ）前記コンテンツを移動通信端末機に適したデータ規格及び仕様に初期化するステップと、（ｂ）前記コンテンツ抽出／変換プログラムを介して、抽出しようとするＵＲＬ（Ｕｎｉｆｏｒｍ  Ｒｅｓｏｕｒｃｅ  Ｌｏｃａｔｏｒ）を入力するステップと、（ｃ）前記ＵＲＬに該当するＨＴＴＰ（Ｈｙｐｅｒｔｅｘｔ  Ｔｒａｎｓｆｅｒ  Ｐｒｏｔｏｃｏｌ）に送信されたデータを仮格納空間にバッファリングするステップと、
（ｄ）前記コンテンツ領域を抽出しやすくなるように、バッファリングしたデータを加工するステップと、（ｅ）前記加工したコンテンツを移動通信端末機の画面として提供するステップと、（ｆ）前記加工したコンテンツが提供された画面から抽出しようとする領域を選択するステップと、（ｇ）前記コンテンツ抽出／変換プログラムで移動通信端末機に適したデータ規格及び仕様に変換するステップと、を含むことを特徴とする。
【００１２】
ここで、（ｈ）前記コンテンツ抽出／変換プログラムでコンテンツデータを管理及び運営が容易なデータ形態に加工し、各チャネルを生成するステップと、（ｉ）前記チャネルで構成したコンテンツデータは、データベース（ＤＢ）領域を生成し、生成したデータベース領域にコンテンツを格納するステップと、（ｊ）前記コンテンツ抽出／変換プログラムで移動通信端末機のエミュレータ（ｅｍｕｌａｔｏｒ）でオンラインコンテンツが移動通信端末機でサービスされるエミュレーション画面を確認するステップと、さらに含むことを特徴とする。
【００１３】
ここで、前記（ｈ）ステップの管理及び運営が容易なデータ形態はＸＭＬであることが好ましい。
【００１４】
また、本発明に係るサーバとして機能する個人用コンピュータを利用して、移動通信端末機の待機モード画面にコンテンツ情報を提供するためのコンテンツを移動通信端末機に送信する方法は、通信網を介してコンテンツを個人用コンピュータに提供するオンラインポータルサーバと、前記オンラインポータルサーバからコンテンツを抽出し、抽出したコンテンツを前記移動通信端末機の待機モード画面として表示されるように変換するコンテンツ抽出／変換プログラムの内蔵された個人用コンピュータと、前記個人用コンピュータから前記コンテンツを受信し、待機モード画面として表示する移動通信端末機と、を含む、サーバとして機能する個人用コンピュータを利用して移動通信端末機の待機モード画面にコンテンツ情報を提供するシステムを利用して、個人用コンピュータからコンテンツを移動通信端末機に送信する方法において、（ａ）移動通信端末機の待機モード画面に表示するコンテンツを選択するステップと、（ｂ）前記表示するコンテンツに該当する選択チャネルに対するプロファイル（Ｐｒｏｆｉｌｅ）を設定するステップと、（ｃ）前記プロファイルを基に、コンテンツを移動通信端末機のフォーマットに合せてコンテンツを送出するステップと、を含むことを特徴とする。
【００１５】
ここで、前記（ｃ）ステップのプロファイルは、待機モード放送する周期、起動（ｉｎｖｏｃａｔｉｏｎ）時間、個人用コンピュータで直接コンテンツを受信するか否か、コンテンツの有効期間又はリアルタイム情報の発生有無のうちの何れか一つ以上の内容を含むことが好ましい。
【００１６】
また、本発明に係るサーバとして機能する個人用コンピュータを利用して、移動通信端末機の待機モード画面にコンテンツ情報を提供するシステムを利用して個人用コンピュータからコンテンツを抽出／変換する方法をコンピュータで実行させるためのプログラムを記録したコンピュータで読み出すことができる記録媒体は、通信網を介してコンテンツを個人用コンピュータに提供するオンラインポータルサーバと、前記オンラインポータルサーバからコンテンツを抽出し、抽出したコンテンツを前記移動通信端末機の待機モード画面として表示されるように変換するコンテンツ抽出／変換プログラムの内蔵された個人用コンピュータと、前記個人用コンピュータから前記コンテンツを受信し、待機モード画面として表示する移動通信端末機と、を含むサーバとして機能する個人用コンピュータを利用して移動通信端末機の待機モード画面にコンテンツ情報を提供するシステムを利用して、個人用コンピュータからコンテンツを抽出／変換する方法をコンピュータで実行させるためのプログラムを記録したコンピュータで読み出すことができる記録媒体において、（ａ）前記コンテンツを移動通信端末機に適したデータ規格及び仕様に初期化するステップと、（ｂ）前記コンテンツ抽出／変換プログラムを介して抽出しようとするＵＲＬを入力するステップと、（ｃ）前記ＵＲＬに該当するＨＴＴＰに送信されたデータを仮格納空間にバッファリングするステップと、（ｄ）前記コンテンツ領域を抽出しやすくなるようにバッファリングしたデータを加工するステップと、（ｅ）前記加工したコンテンツを移動通信端末機の画面として提供するステップと、（ｆ）前記加工したコンテンツが提供された画面から抽出しようとする領域を選択するステップと、（ｇ）前記コンテンツ抽出／変換プログラムで移動通信端末機に適したデータ規格及び仕様に変換するステップと、を含むことを特徴とする。
【００１７】
また、本発明に係るサーバとして機能する個人用コンピュータを利用して、移動通信端末機の待機モード画面にコンテンツ情報を提供するためのコンテンツを移動通信端末機に送信する方法をコンピュータで実行させるためのプログラムを記録したコンピュータで読み出すことができる記録媒体は、通信網を介してコンテンツを個人用コンピュータに提供するオンラインポータルサーバと、前記オンラインポータルサーバからコンテンツを抽出し、抽出したコンテンツを前記移動通信端末機の待機モード画面として表示されるように変換するコンテンツ抽出／変換プログラムの内蔵された個人用コンピュータと、前記個人用コンピュータから前記コンテンツを受信し、待機モード画面として表示する移動通信端末機と、を含むサーバとして機能する個人用コンピュータを利用して移動通信端末機の待機モード画面にコンテンツ情報を提供するシステムを利用して、個人用コンピュータからコンテンツを移動通信端末機に送信する方法をコンピュータで実行させるためのプログラムを記録したコンピュータで読み出すことができる記録媒体において、（ａ）移動通信端末機の待機モード画面に表示するコンテンツを選択するステップと、（ｂ）前記表示するコンテンツに該当する選択チャネルに対するプロファイルを設定するステップと、（ｃ）前記プロファイルを基に、コンテンツを移動通信端末機のフォーマットに合せてコンテンツを送出するステップと、を含むことを特徴とする。
【発明の効果】
【００１８】
本発明によれば、オンラインコンテンツから必要な部分を容易に抽出し、抽出したデータを加工するのに容易な個人化されたコンテンツサービスシステム及び方法を提供することができる。
【００１９】
また、本発明によれば、個人用コンピュータを利用して複数の利用者の移動通信端末機用待機モード画面に多様なコンテンツを提供することができる。
【発明を実施するための最良の形態】
【００２０】
図１は、本発明に係るサーバとして機能する個人用コンピュータを利用して、移動通信端末機の待機モード画面にコンテンツ情報を提供するシステムを示すものである。同図に示すように、本発明に係るサーバとして機能する個人用コンピュータを利用して、移動通信端末機の待機モード画面にコンテンツ情報を提供するシステムは、移動通信端末機１００、サービスサーバ１１０及びオンラインポータルサーバ１２０を含む。移動通信端末機１０１ａ、１０１ｂは、待機モードサービスが支援される端末機である。サービスサーバ１１０は、移動通信社サーバ１１１、ゲートウェイ（ｇａｔｅｗａｙ）１１２及び個人用コンピュータ１１３を含む。ここで、ゲートウェイ１１２は、個人用コンピュータ１１３から送るデータを集めて移動通信社サーバ１１１に送信することを担当する。オンラインポータルサーバ１２０は、多様なオンラインサーバが含まれることができ、ストリーミングサーバ１２１ａ、モバイルコンテンツサーバ１２１ｂ及びウェブサーバ１２１ｃのような多様なサービスサーバが含まれることができる。しかしながら、移動通信社サーバ１１１及びゲートウェイ１１２に関する説明は、該当システムの内部構造的な部分について言及せず、オンラインポータルサーバ１２０、個人用コンピュータ１１３及び移動通信端末機１００間のリアルタイム待機モードサービスを行うための方法及びシステム並びにプログラムを格納する記録媒体に関する事項を説明する。
【００２１】
個人用コンピュータ１１３は、オンラインコンテンツをオンラインポータルサーバ１２０から抽出するか、又は移動通信端末機１００に送信するために、移動通信端末機１００に最適化されたフォーマットに変換することを可能にするコンテンツ抽出／変換プログラムが格納されている。コンテンツ抽出／変換プログラムは、利用者が抽出しようとするＵＲＬを入力する場合に、コンテンツを抽出しようとするウェブページを選定することができ、ＵＲＬに該当するＨＴＴＰのストリームを得てコンテンツ領域、スクリプト、イメージ及びメタデータを読み、仮格納空間にバッファリングすることができる。また、コンテンツ抽出／変換プログラムは、利用者が容易にコンテンツ領域を選択して抽出しやすくなるように、バッファリングしたデータを加工することができる。コンテンツ抽出／変換プログラムは、利用者が初期に設定した移動通信端末機に適したデータ規格及び仕様に変換することができる。また、コンテンツ抽出／変換プログラムは、コンテンツデータを管理及び運営が容易なデータ形態に加工して各チャネルを生成することができ、多様な形態のコンテンツ画面として容易に構成するために、移動通信端末機の待機画面用テンプレート（ｔｅｍｐｌａｔｅ）を提供することができる。ここで、管理及び運営が容易なデータ形態の好ましい例として、ＸＭＬデータを例に挙げることができる。
【００２２】
上述のコンテンツ抽出／変換プログラムの内蔵された個人用コンピュータを利用したコンテンツサービスシステムにより、コンテンツサービス利用者は、個人用コンピュータ１１３を介してオンラインポータルサーバ１２０から提供するコンテンツを抽出して利用することができ、コンテンツを変換することもできる。また、個人用コンピュータ１１３を利用して、オンラインポータルサーバ１２０のコンテンツを抽出すると同時に、個人用コンピュータ１１３にチャネル別に格納することができる。ここで、最初に設定しておいた移動通信端末機１００の設定に合うように、個人用コンピュータ１１３はコンテンツを加工することができ、このときに提供されるコンテンツは、インターネットを介して個人用コンピュータ１１３から移動通信端末機１００に待機モード画面の形態で提供するようになる。すなわち、個人用コンピュータ１１３は、移動通信端末機１００用として加工されたコンテンツをＷ２Ｐ形態で所定のロジックプログラムにより受信し管理するようになり、複数の移動通信端末機１００を介して利用者は、個人用コンピュータ１１３からコンテンツサービスを受けるようになる。ここで、コンテンツは、リアルタイムマルチメディアオンラインコンテンツを意味し、ポータルコミュニティ、電子メール、インターネット放送、株式、競売のような多様なコンテンツがこれに該当する。このような構成により、個人用コンピュータは、マルチメディアオンラインコンテンツを抽出して個人化されたデータベース（ＤＢ）を運営し、これを再度自身の移動通信端末機又は第３字の移動通信端末機に送信でき、かつ同期化（Ｓｙｎｃ．）することができ、自身の個人用コンピュータをネットワークセンターとして利用する個人化された有無線連動サービスシステムを構成することが可能になる。
【００２３】
図２は、本発明に係るサーバとして機能する個人用コンピュータを利用して、移動通信端末機の待機モード画面にコンテンツ情報を提供するためのコンテンツを抽出し変換する方法を説明するためのフローチャートである。同図に示すように、オンラインコンテンツ抽出／変換プログラムを個人用コンピュータで実行することにより、オンラインコンテンツ抽出の最初のステップが始まる。利用者は、オンラインでコンテンツを抽出し、個人用コンピュータでサービスするための最初の作業として、移動通信端末機に適したデータ規格及び仕様に初期化を行う（Ｓ２０１）。利用者は、コンテンツ抽出／変換プログラムで抽出しようとするＵＲＬを入力して（Ｓ２０２）、コンテンツを抽出しようとするウェブページを選定する。コンテンツ抽出／変換プログラムは、利用者が入力したＵＲＬに該当するＨＴＴＰのストリームを得て、コンテンツ領域、スクリプト、イメージ及びメタデータを読み、仮格納空間にバッファリングするようになる（Ｓ２０３）。コンテンツ抽出／変換プログラムは、利用者が容易にコンテンツ領域を選択して抽出しやすくなるように、バッファリングしたデータを加工し（Ｓ２０４）、利用者に加工したコンテンツ画面として提供する（Ｓ２０５）。利用者は、コンテンツ抽出／変換プログラムが提供した加工したコンテンツ画面から抽出しようとする領域を選択する（Ｓ２０６）。コンテンツ抽出／変換プログラムは、利用者が選択したコンテンツ領域を分析し（Ｓ２０７）、利用者が初期に設定した移動通信端末機に適したデータ規格及び仕様に変換する（Ｓ２０８）。コンテンツ抽出／変換プログラムは、コンテンツデータを管理及び運営が容易なデータ形態に加工して、各チャネルを生成する（Ｓ２０９）。ここで、管理及び運営が容易なデータ形態の好ましい例として、ＸＭＬデータを例に挙げることができる。ここで、コンテンツデータをＸＭＬに加工することは、ＸＭＬのｍａｒｋ−ｕｐタグ（ｔａｇ）を利用して、多様なＸＭＬパーサー（ｐａｒｓｅｒ）を利用してコンテンツデータを容易にコンテンツ抽出／変換プログラムから抽出し変換できるためである。チャネルで構成したコンテンツデータは、利用者コンピュータの格納するＤＢ領域を生成し、生成したＤＢ領域にコンテンツを格納する（Ｓ２１０）。コンテンツ抽出／変換プログラムは、移動通信端末機に最適化されて格納が完了した加工されたコンテンツデータを移動通信端末機のエミュレータで利用者のコンピュータ画面に移動通信端末機の画面がエミュレーションされて表示されて加工されたオンラインコンテンツが移動通信端末機でサービスされる画面をまず利用者がエミュレーション画面で確認することができる（Ｓ２１１）。ここで、コンテンツ抽出／変換プログラムは、多様な形態のコンテンツ画面で容易に構成するようにするために、移動通信端末機の待機画面用の多様なテンプレートを提供する。利用者は、コンテンツ抽出／変換プログラムから提供するエミュレーション画面を確認し、放送送出のための初期化が行われる（Ｓ２１２）。すなわち、放送のための固有のチャネルＩＤ、移動通信端末機上に送信される送信周期、コンテンツチャネルの選定、利用者個人に特化された利用者情報（Ｕｓｅｒ  Ｉｎｆｏｒｍ）、プロファイルなどを設定する。
【００２４】
図３は、本発明に係る個人用コンピュータを利用した待機モードサービスシステムにおいて、オンラインコンテンツを移動通信端末機で待機モードサービスを実行する方法を説明するためのフローチャートである。コンテンツ利用者は、インターネットを介して自身の移動通信端末機に対する事項を個人用マルチメディア放送システムに送信することにより、今後サービスを受けるための新規加入をする（Ｓ３０１）。コンテンツ利用者は、自身の移動通信端末機の待機モード画面に放送を受信するコンテンツを選択する（Ｓ３０２）。ここで、コンテンツ利用者が放送を受信する目的で選択したコンテンツを抽出し変換する方法は、図２で説明した方法を利用する。コンテンツ利用者は、放送受信を選択したチャネルに対してプロファイルを設定する（Ｓ３０３）。ここで、プロファイル設定は、個人用マルチメディア放送システムにおいて、待機モード画面として放送する周期、起動（ｉｎｖｏｃａｔｉｏｎ）時間、コンテンツの有効期間又はリアルタイム情報発生のような多様なプロファイルを設定する。また、プロファイルは、移動通信端末機が個人用マルチメディア放送システムでコンテンツを送信されるか、又は直接コンテンツサーバから送信されるかに対するサービス政策も設定されている。すべての設定が完了すれば、今後コンテンツ利用者にコンテンツ情報を放送する時点に個人用マルチメディア放送システムのＤＢに格納された利用者のＩＤに基づいて、利用者情報（Ｕｓｅｒ  Ｉｎｆｏｒｍ）と利用者の移動通信端末機に応じて設定しておいたプロファイル設定を基にコンテンツを各個人に合せて放送を送出する（Ｓ３０４）。
【００２５】
以上、添付した図面を参照して本発明の実施形態を説明したが、上述の本発明の技術的構成は、本発明が属する技術分野における当業者が本発明の技術的思想や必須の特徴を変更せず他の形態で実施できるということを理解できるはずである。したがって、以上で述べた実施形態は、すべての面において例示的なものであり、限定的なものではないと理解すべきであり、本発明の範囲は、前記詳細な説明よりは特許請求の範囲によって定められ、特許請求の範囲の意味及び範囲、そして均等概念から導かれるすべての変更又は変形された形態が本発明の範囲に含まれると解釈されなければならない。
【図面の簡単な説明】
【００２６】
【図１】本発明に係るサーバとして機能する個人用コンピュータを利用して、移動通信端末機の待機モード画面にコンテンツ情報を提供するシステムを示すものである。
【図２】本発明に係るサーバとして機能する個人用コンピュータを利用して、移動通信端末機の待機モード画面にコンテンツ情報を提供するためのコンテンツを抽出し変換する方法を説明するためのフローチャートである。
【図３】本発明に係る個人用コンピュータを利用した待機モードサービスシステムにおいて、オンラインコンテンツを移動通信端末機で待機モードサービスを実行する方法を説明するためのフローチャートである。
【図１】
2008530703.tif 000003
【図２】
2008530703.tif 000004
【図３】
2008530703.tif 000005
【国際調査報告】
2008530703.tif 000006